(57)【特許請求の範囲】
【請求項１】
ワイヤーハーネスが接続される接続端子が内部に配置されるとともに、所定の取付け面から所定間隔を隔てた位置に先端を有する取付部材の先端近傍に対して装着され、前記ワイヤーハーネスのコネクタ、及び被覆電線を一体的に囲繞する弾性を有するグロメットであって、
該グロメットを、
前記被覆電線を囲繞する略筒状の電線囲繞部と、
該電線囲繞部の軸方向に沿って、前記電線囲繞部から延設するとともに、前記取付部材が嵌合可能な内径を有して、前記コネクタを囲繞する略筒状のコネクタ囲繞部とで構成し、
該コネクタ囲繞部に、
前記取付部材の外周面から立設したフランジ部に対向する取付部材側端部を備え、
該取付部材側端部における外周面に、
結束バンドを巻着可能にするバンド装着部と、
該バンド装着部に対して前記取付部材側で隣接するとともに、前記コネクタ囲繞部の周方向に沿って形成した取付部材側壁部とを備え、
該取付部材側壁部に、
前記軸方向に沿って切り欠いて形成した切欠き部を備え、
前記コネクタ囲繞部を、略長楕円形状の筒状体に形成し、
前記切欠き部を、前記略長楕円形状における湾曲部分に形成した
グロメット。
【請求項２】
前記コネクタ囲繞部の前記取付部材側端部に、
前記取付部材側へ向けて延設するとともに、前記取付部材に形成した凹溝部に装着される延設部を備えた
請求項１に記載のグロメット。
【請求項３】
ワイヤーハーネスが接続される接続端子が内部に配置されるとともに、所定の取付け面から所定間隔を隔てた位置に先端を有する取付部材の先端近傍に対して装着され、前記ワイヤーハーネスのコネクタ、及び被覆電線を一体的に囲繞する弾性を有するグロメットであって、
該グロメットを、
前記被覆電線を囲繞する略筒状の電線囲繞部と、
該電線囲繞部の軸方向に沿って、前記電線囲繞部から延設するとともに、前記取付部材が嵌合可能な内径を有して、前記コネクタを囲繞する略筒状のコネクタ囲繞部とで構成し、
該コネクタ囲繞部に、
前記取付部材の外周面から立設したフランジ部に対向する取付部材側端部を備え、
該取付部材側端部における外周面に、
結束バンドを巻着可能にするバンド装着部と、
該バンド装着部に対して前記取付部材側で隣接するとともに、前記コネクタ囲繞部の周方向に沿って形成した取付部材側壁部とを備え、
該取付部材側壁部に、
前記軸方向に沿って切り欠いて形成した切欠き部を備え、
前記コネクタ囲繞部の前記取付部材側端部に、
前記取付部材側へ向けて延設するとともに、前記取付部材に形成した凹溝部に装着される延設部を備えた
グロメット。
【請求項４】
前記切欠き部を、
前記取付部材の前記フランジ部における外周縁よりも内側の部分と対向する位置に形成した
請求項１から請求項３のいずれか１つに記載のグロメット。
【請求項５】
前記バンド装着部に対応する前記コネクタ囲繞部の内周面に、
該内周面から突設するとともに、前記周方向に沿って延設した少なくとも２つのリップ部を備えた
請求項１から請求項４のいずれか１つに記載のグロメット。
【請求項６】
前記バンド装着部を、
前記取付部材側壁部よりも前記電線囲繞部側において、前記コネクタ囲繞部の周方向に沿って形成した電線側壁部と、前記取付部材側壁部とで凹溝状に構成し、
前記バンド装着部における前記軸方向の長さを、装着部溝幅とし、
前記結束バンドにおける前記軸方向の長さをバンド幅とし、
前記装着部溝幅から前記バンド幅を減算した長さを隙間長さとして、
前記バンド装着部の前記装着部溝幅を、
前記バンド幅の２倍未満となるように構成し、
前記リップ部を、
前記バンド装着部における前記取付部材側壁部、及び前記電線側壁部から、前記軸方向にそれぞれ前記隙間長さだけ離間した前記バンド装着部の範囲に対応する内周面に形成した
請求項５に記載のグロメット。
【請求項７】
前記コネクタ囲繞部に、
取付部材に対して略筒状の編組線に挿入した取付部材に巻着される結束バンドのロック部を収容可能な内部空間を有して、外方へ向けて膨出した膨出部を備え、
該膨出部を、
前記軸方向から見て、前記切欠き部と対向するとともに、前記軸方向において、前記バンド装着部よりも前記電線囲繞部側の位置に形成した
請求項１から請求項６のいずれか１つに記載のグロメット。
【請求項８】
ワイヤーハーネスが接続される接続端子が内部に配置されるとともに、所定の取付け面から所定間隔を隔てた位置に先端を有する取付部材の先端近傍に対して装着され、前記ワイヤーハーネスのコネクタ、及び被覆電線を一体的に囲繞する弾性を有し、
前記被覆電線を囲繞する略筒状の電線囲繞部と、
該電線囲繞部の軸方向に沿って、前記電線囲繞部から延設するとともに、前記取付部材が嵌合可能な内径を有して、前記コネクタを囲繞する略筒状のコネクタ囲繞部とで構成し、
該コネクタ囲繞部に、
前記取付部材の外周面から立設したフランジ部に対向する取付部材側端部を備え、
該取付部材側端部における外周面に、
結束バンドを巻着可能にするバンド装着部と、
該バンド装着部に対して前記取付部材側で隣接するとともに、前記コネクタ囲繞部の周方向に沿って形成した取付部材側壁部とを備え、
該取付部材側壁部に、
前記軸方向に沿って切り欠いて形成した切欠き部を備えたグロメットと、
所定の取付け面に取付けられる本体部、前記グロメットのコネクタ囲繞部に対向するフランジ部、及び前記コネクタ囲繞部に嵌合する嵌合部をこの順番で配置した略筒状の取付部材と、
前記グロメットのバンド装着部に巻着する結束バンドとで構成した
グロメット付取付部材。
【請求項９】
請求項１から請求項７のいずれか１つに記載のグロメットと、
所定の取付け面に取付けられる本体部、前記グロメットのコネクタ囲繞部に対向するフランジ部、及び前記コネクタ囲繞部に嵌合する嵌合部をこの順番で配置した略筒状の取付部材と、
前記グロメットのバンド装着部に巻着する結束バンドとで構成した
グロメット付取付部材。
【発明の詳細な説明】
【技術分野】
【０００１】
この発明は、例えば、ハイブリッド自動車のインバーターとワイヤーハーネスとの接続箇所を覆って、外部からの水分の侵入を阻止するようなグロメット、及びグロメット付取付部材に関する。
【背景技術】
【０００２】
従来の内燃機関を動力とする自動車に加えて、内燃機関と電気モーターとを動力とするハイブリッド自動車や、電気モーターを動力とする電気自動車などの車両が増加している。
【０００３】
このような車両では、電気モーターを駆動するためのバッテリーやインバーターなどが車室外に搭載されているため、例えば、インバーターとワイヤーハーネスとの接続箇所も車室外に位置していることが多い。
【０００４】
さらに、ハイブリッド自動車などの車両において、電気モーターに供給される電圧は、オーディオなどの電気機器に供給される電圧よりも高く設定されている。このため、例えば、インバーターとワイヤーハーネスとの接続箇所には、外部からの水分の侵入を阻止する高い止水性が要求されている。
【０００５】
このような要求に対応する先行技術として、例えば、特許文献１には、インバーターに設けたインバーター側コネクタと、ワイヤーハーネスのハーネス側コネクタとの接続箇所を覆うグロメット付取付部材が記載されている。
【０００６】
このグロメット付取付部材は、ハーネス側コネクタの外面に装着されるとともに、インバーターのボス部に締結される取付部材であるシールドシェルと、結束バンドによってシールドシェルに装着されるとともに、ハーネス側コネクタ、及び３本の電線を一体的に覆うグロメットとで構成している。
【０００７】
さらに、シールドシェルと当接するシールリップを、結束バンドの装着位置に対応するグロメットの内周面に形成するとともに、インバーター側コネクタの内周面に当接するシールリングを、ハーネス側コネクタの先端に備えている。
【０００８】
これにより、特許文献１は、インバーター側コネクタとハーネス側コネクタとの接続箇所における止水性を確保することができ、車両を洗浄する際に用いる高圧洗浄水が吹き付けられても接続箇所への水分の侵入を阻止するとされている。
【０００９】
ところで、車両の車体や駆動部品などの寿命に比べて、バッテリーやインバーターの寿命が短いため、ハイブリッド自動車などの車両では、車体や駆動部品などが寿命に達する前に、バッテリーやインバーターの交換が生じることがある。
【００１０】
このため、ハイブリッド自動車などの車両において、例えば、インバーターとワイヤーハーネスとの接続箇所をグロメット付取付部材には、外部からの水分の侵入を防止するだけでなく、分解や組付けが容易であることが新たに求められている。
【先行技術文献】
【特許文献】
【００１１】
【特許文献１】特開２０１４−６０８４４号公報
【発明の概要】
【発明が解決しようとする課題】
【００１２】
本発明は、上述の問題に鑑み、取付部材との間における止水性と、取付部材に対する分解組付け性とを両立して確保できるグロメット、及びグロメット付取付部材を提供することを目的とする。
【課題を解決するための手段】
【００１３】
この発明は、ワイヤーハーネスが接続される接続端子が内部に配置されるとともに、所定の取付け面から所定間隔を隔てた位置に先端を有する取付部材の先端近傍に対して装着され、前記ワイヤーハーネスのコネクタ、及び被覆電線を一体的に囲繞する弾性を有するグロメットであって、該グロメットを、前記被覆電線を囲繞する略筒状の電線囲繞部と、該電線囲繞部の軸方向に沿って、前記電線囲繞部から延設するとともに、前記取付部材が嵌合可能な内径を有して、前記コネクタを囲繞する略筒状のコネクタ囲繞部とで構成し、該コネクタ囲繞部に、前記取付部材の外周面から立設したフランジ部に対向する取付部材側端部を備え、該取付部材側端部における外周面に、結束バンドを巻着可能にするバンド装着部と、該バンド装着部に対して前記取付部材側で隣接するとともに、前記コネクタ囲繞部の周方向に沿って形成した取付部材側壁部とを備え、該取付部材側壁部に、前記軸方向に沿って切り欠いて形成した切欠き部を備え、前記コネクタ囲繞部を、略長楕円形状の筒状体に形成し、前記切欠き部を、前記略長楕円形状における湾曲部分に形成したことを特徴とする。
【００１４】
上記ワイヤーハーネスは、１本の被覆電線と被覆電線の先端に装着したコネクタとで構成したワイヤーハーネス、あるいは複数の被覆電線を束ねるとともに、被覆電線の先端にコネクタを装着したワイヤーハーネスとすることができる。
【００１５】
上記所定の取付け面から所定間隔を隔てたとは、所定の取付け面に対してグロメットが近接、あるいは当接しない間隔を隔てたことをいう。もしくは、結束バンドを切断する所定の工具を差し込むことができる間隔を隔てたことをいう。
【００１６】
上記取付部材は、所定の取付け面とは別体で構成した取付部材、あるいは所定の取付け面に一体形成した取付部材とすることができる。さらに、取付部材は、所定の取付け面に取付けた状態で内部に接続端子が配置される構造、あるいは内部に予め接続端子が配置された構造などとすることができる。
【００１７】
この発明により、取付部材との間における止水性と、取付部材に対する分解組付け性とを両立して確保することができる。  
具体的には、バンド装着部における取付部材側壁部を切り欠いたことにより、切欠き部は、取付部材側端部の剛性を部分的に低下させることができる。
【００１８】
このため、切欠き部は、コネクタ囲繞部の内径を拡径し易くし、取付部材への装着を容易にすることができる。  
さらに、例えば、結束バンドの巻着が容易となる位置に切欠き部を形成することで、切欠き部は、結束バンドをバンド装着部に巻着する際の位置決め手段として機能することができる。
【００１９】
あるいは、例えば、切欠き部を設けたバンド装着部の位置を、結束バンドのバンドを固定するロック部の位置とすることで、切欠き部は、軸方向におけるロック部の長さが異なる結束バンドの巻着を容易にすることができる。
【００２０】
一方、グロメットに巻着した結束バンドを取り外す場合には、切欠き部は、結束バンドを切断する所定の工具を結束バンドに差し込む差込口として機能することができる。
【００２１】
詳しくは、取付部材を介して所定の取付け面に装着した状態において、所定の取付け面から軸方向に離間した位置に配置されるため、切欠き部は、軸方向からの所定の工具の挿入を容易にすることができる。
【００２２】
この際、例えば、切欠き部とロック部とが対向するように、結束バンドを巻着することで、切欠き部は、バンドの重なりによるロック部近傍とバンド装着部との隙間に対する所定の工具の挿入をより容易にすることができる。これにより、結束バンドを所定の工具で切断する際、グロメットが、所定の工具によって損傷することを防止できる。
【００２３】
そして、結束バンドがバンド装着部に巻着された状態において、バンド装着部に対応するコネクタ囲繞部の内周面は、取付部材の先端近傍に隙間なく当接することができる。
【００２４】
この際、取付部材のフランジ部が近接する取付部材側端部にバンド装着部を形成しているため、バンド装着部は、例えば、高圧洗浄水による取付部材側端部のめくり上がりを、結束バンドとの協働によって抑制することができる。
【００２５】
さらに、結束バンド及び取付部材のフランジ部との協働により、バンド装着部は、コネクタ囲繞部の内部への高圧洗浄水の侵入を抑制することができる。  
従って、グロメットは、取付部材側端部に形成したバンド装着部と、バンド装着部の壁部に形成した切欠き部とによって、取付部材との間における止水性と、取付部材に対する分解組付け性とを両立して確保することができる。
【００２６】
また、グロメットは、取付部材との間における止水性を低下させることなく、取付部材に対する分解組付け性の向上を図ることができる。  
具体的には、略長楕円形状のコネクタ囲繞部における湾曲部に切欠き部を形成したことにより、グロメットは、略長楕円形状の直線部分に切欠き部を形成した場合に比べて、切欠き部の位置の特定を容易にすることができる。
【００２７】
これにより、結束バンドを巻着する際、グロメットは、例えば、バンド装着部との間に隙間が生じ易いロック部を、略長楕円形状の湾曲部分に容易に配置させることができる。この際、結束バンドは、バンド装着部に沿った略長楕円形状ではなく、たまご型に巻着され易い。
【００２８】
このため、結束バンドは、コネクタ囲繞部における略長楕円形状の湾曲部分を締め付ける荷重が高いのに対して、直線部分を締め付ける荷重が低いという特徴がある。
【００２９】
ゆえに、結束バンドがグロメットに巻着された状態において、バンド装着部が取付部材を押圧する押圧荷重は、略長楕円形状の直線部分における押圧荷重に対して、湾曲部分における押圧荷重の方が高くなり易い。
【００３０】
そこで、略長楕円形状のコネクタ囲繞部における湾曲部に切欠き部を形成したことにより、グロメットは、剛性が低くなり易い切欠き部近傍における取付部材側端部のめくり上がりを、結束バンドとの協働によって確実に抑制することができる。これにより、グロメットは、例えば、高圧洗浄水が吹き付けられた場合であっても、コネクタ囲繞部の内部への水分の侵入をより確実に抑制することができる。
【００３１】
従って、グロメットは、略長楕円形状のコネクタ囲繞部における湾曲部分に切欠き部を形成したことにより、取付部材との間における止水性を低下させること
【００３２】
またこの発明の態様として、前記コネクタ囲繞部の前記取付部材側端部に、前記取付部材側へ向けて延設するとともに、前記取付部材に形成した凹溝部に装着される延設部を備えることができる。  
またこの発明は、ワイヤーハーネスが接続される接続端子が内部に配置されるとともに、所定の取付け面から所定間隔を隔てた位置に先端を有する取付部材の先端近傍に対して装着され、前記ワイヤーハーネスのコネクタ、及び被覆電線を一体的に囲繞する弾性を有するグロメットであって、該グロメットを、前記被覆電線を囲繞する略筒状の電線囲繞部と、該電線囲繞部の軸方向に沿って、前記電線囲繞部から延設するとともに、前記取付部材が嵌合可能な内径を有して、前記コネクタを囲繞する略筒状のコネクタ囲繞部とで構成し、該コネクタ囲繞部に、前記取付部材の外周面から立設したフランジ部に対向する取付部材側端部を備え、該取付部材側端部における外周面に、結束バンドを巻着可能にするバンド装着部と、該バンド装着部に対して前記取付部材側で隣接するとともに、前記コネクタ囲繞部の周方向に沿って形成した取付部材側壁部とを備え、該取付部材側壁部に、
前記軸方向に沿って切り欠いて形成した切欠き部を備え、前記コネクタ囲繞部の前記取付部材側端部に、前記取付部材側へ向けて延設するとともに、前記取付部材に形成した凹溝部に装着される延設部を備えたことを特徴とする。
【００３３】
この発明により、グロメットは、止水性を損なうことなく、取付部材に対する分解組付け性をより向上することができる。  
具体的には、取付部材に対してグロメットを装着する際、あるいは取付部材からグロメットを取り外す際、延設部は、作業者が保持する持ち手として機能することができる。
【００３４】
例えば、略長楕円形状のコネクタ囲繞部を拡径する場合、略長楕円形状の湾曲部分に対して、直線部分の方が拡径し易い。このため、例えば、略長楕円形状のコネクタ囲繞部の直線部分に延設部を形成した場合、延設部は、略長楕円形状のコネクタ囲繞部を容易に拡径することができる。  
さらに、取付部材の凹溝部に装着されるため、延設部は、取付部材に対するグロメットの位置決め手段として機能することができる。
【００３５】
しかしながら、コネクタ囲繞部側のねもと部分である延設部の基部近傍は、その周辺に比べて剛性が高くなり易いため、バンド装着部が取付部材を押圧する押圧荷重を低下させるおそれがある。
【００３６】
このため、例えば、略長楕円形状のコネクタ囲繞部における湾曲部分に切欠き部と延設部とを形成した場合、切欠き部近傍における止水性が低下するおそれがある。そこで、コネクタ囲繞部が略長楕円形状の場合、略長楕円形状の直線部分に延設部を形成することで、グロメットは、結束バンドとの協働によってバンド装着部が取付部材を確実に押圧することができる。
【００３７】
従って、グロメットは、延設部を備えたことにより、止水性を損なうことなく、取付部材に対する分解組付け性をより向上することができる。
【００３８】
またこの発明の態様として、前記切欠き部を、前記取付部材の前記フランジ部における外周縁よりも内側の部分と対向する位置に形成することができる。
【００３９】
この発明により、電線囲繞部の径方向において、フランジ部の縁端に対して、切欠き部が径方向の内側に位置するため、例えば、グロメットに対して高圧洗浄水が吹き付けられた際、取付部材のフランジ部によって高圧洗浄水がコネクタ囲繞部の内部により到達し難くなる。これにより、グロメットは、剛性が低くなり易い切欠き部近傍に対して高圧洗浄水が直接的に吹き付けられることを防止できる。
【００４０】
またこの発明の態様として、前記バンド装着部に対応する前記コネクタ囲繞部の内周面に、該内周面から突設するとともに、前記周方向に沿って延設した少なくとも２つのリップ部を備えることができる。
【００４１】
この発明により、グロメットは、取付部材との間における止水性をより安定して確保することができる。  
具体的には、取付部材との接触面積が小さため、リップ部は、コネクタ囲繞部の内周面で取付部材を押圧した場合の押圧荷重に比べて、より高い押圧荷重で取付部材を押圧することができる。
【００４２】
さらに、リップ部を少なくとも２つ備えているため、グロメットは、結束バンドの巻着位置が軸方向にバラついた場合であっても、取付部材に対してリップ部を当接させることができる。  
従って、グロメットは、２つのリップ部を備えたことにより、取付部材との間における止水性をより安定して確保することができる。
【００４３】
またこの発明の態様として、前記バンド装着部を、前記取付部材側壁部よりも前記電線囲繞部側において、前記コネクタ囲繞部の周方向に沿って形成した電線側壁部と、前記取付部材側壁部とで凹溝状に構成し、前記バンド装着部における前記軸方向の長さを、装着部溝幅とし、前記結束バンドにおける前記軸方向の長さをバンド幅とし、前記装着部溝幅から前記バンド幅を減算した長さを隙間長さとして、前記バンド装着部の前記装着部溝幅を、前記バンド幅の２倍未満となるように構成し、前記リップ部を、前記バンド装着部における前記取付部材側壁部、及び前記電線側壁部から、前記軸方向にそれぞれ前記隙間長さだけ離間した前記バンド装着部の範囲に対応する内周面に形成することができる。
【００４４】
この発明により、バンド装着部における取付部材側壁部に結束バンドが当接した状態、あるいは電線側壁部に結束バンドが当接した状態であっても、結束バンドでリップ部を押圧することができる。
【００４５】
このため、バンド装着部に対する結束バンドの巻着位置が軸方向に偏った場合であっても、グロメットは、取付部材に対して少なくとも２つのリップ部をより確実に当接させることができる。  
従って、グロメットは、取付部材との間における止水性をより確実に確保することができる。
【００４６】
また、この発明の態様として、前記コネクタ囲繞部に、取付部材に対して略筒状の編組線に挿入した取付部材に巻着される結束バンドのロック部を収容可能な内部空間を有して、外方へ向けて膨出した膨出部を備え、該膨出部を、前記軸方向から見て、前記切欠き部と対向するとともに、前記軸方向において、前記バンド装着部よりも前記電線囲繞部側の位置に形成することができる。
【００４７】
この発明により、グロメットは、取付部材に取付けた状態における重量の偏りを抑制することができる。さらに、例えば、切欠き部をロック部の位置とした場合、軸方向から見て切欠き部と膨出部とが対向しているため、膨出部は、バンド装着部に対する結束バンドの容易な巻着を阻害することを防止できる。
【００４８】
またこの発明は、上述したグロメットと、所定の取付け面に取付けられる本体部、前記グロメットのコネクタ囲繞部に対向するフランジ部、及び前記コネクタ囲繞部に嵌合する嵌合部をこの順番で配置した略筒状の取付部材と、前記グロメットのバンド装着部に巻着する結束バンドとで構成したグロメット付取付部材であることを特徴とする。
【００４９】
この発明により、グロメットと取付部材との間における止水性と、取付部材に対するグロメットの分解組付け性とを両立して確保することできる。
【発明の効果】
【００５０】
本発明により、取付部材との間における止水性と、取付部材に対する分解組付け性とを両立して確保できるグロメット、及びグロメット付取付部材を提供することができる。
【図面の簡単な説明】
【００５１】
【図１】グロメット付取付部材における上方正面視の外観を示す外観斜視図。
【図２】グロメット付取付部材、及びインバーター側コネクタにおける下方背面視の外観を示す外観斜視図。
【図３】グロメット付取付部材における前後方向に沿った上下方向の断面を示す縦断面図。
【図４】グロメット付取付部材における上方正面視からの分解状態を示す分解斜視図。
【図５】図３中におけるＡ部を示す要部拡大図。
【図６】グロメット付取付部材における前後方向に沿った幅方向の断面を示す横断面図。
【図７】図６中のＣ−Ｃ矢視断面図。
【図８】図３中におけるＢ部を示す要部拡大図。
【図９】側面視における切欠き部を示す要部拡大図。
【発明を実施するための形態】
【００５２】
この発明の一実施形態を以下図面と共に説明する。  
なお、図１はグロメット付取付部材３における上方正面視の外観斜視図を示し、図２はグロメット付取付部材３、及びインバーター側コネクタ２１における下方背面視の外観斜視図を示し、図３はグロメット付取付部材３における前後方向Ｘに沿った縦断面図を示し、図４はグロメット付取付部材３における上方正面視の分解斜視図を示している。
【００５３】
さらに、図５は図３中におけるＡ部の要部拡大図を示し、図６はグロメット付取付部材３における前後方向Ｘに沿った横断面図を示し、図７は図６中のＣ−Ｃ矢視断面図を示し、図８は図３中におけるＢ部の要部拡大図を示し、図９は側面視における切欠き部４４４の要部拡大図を示している。  
加えて、図示を明確にするため、図４中においてハーネス側コネクタ１１を二点鎖線で示し、図７中においてワイヤーハーネス１の図示を省略し、図９において結束バンド６を二点鎖線で示している。
【００５４】
また、図１中において、矢印Ｘは前後方向を示し（以下「前後方向Ｘ」とする）、矢印Ｙは幅方向を示し（以下、「幅方向Ｙ」とする）、矢印Ｚは上下方向を示している（以下、「上下方向Ｚ」とする）。さらに、前後方向Ｘにおいて、後述するコネクタシェル３０側（図１中の左側）を前方とし、後述するワイヤーハーネス１側（図１中の右側）を後方とする。加えて、図１中の上側を上方とし、図１中の下側を下方とする。
【００５５】
本実施形態は、詳細な図示を省略するが、例えば、ハイブリッド自動車において、電気モーターに一端が接続されたワイヤーハーネス１と、インバーター２との接続箇所を覆うグロメット付取付部材３について、図１から図８を用いて説明する。
【００５６】
まず、本実施例におけるワイヤーハーネス１は、図１から図３に示すように、グロメット付取付部材３に挿通した状態で、インバーター２に設けたインバーター側コネクタ２１に接続される。  
ここで、ワイヤーハーネス１、及びインバーター側コネクタ２１について説明する。
【００５７】
ワイヤーハーネス１は、図１から図３に示すように、幅方向Ｙに並置した２つの接続端子（図示省略）を内部に収容したハーネス側コネクタ１１と、ハーネス側コネクタ１１の接続端子に接続した２本の被覆電線１２とで構成している。
【００５８】
ハーネス側コネクタ１１は、インバーター側コネクタ２１の内部に嵌合する前側部分１１ａと、グロメット付取付部材３（後述するグロメット付取付部材３のコネクタシェル３０）の内部に嵌合する後側部分１１ｂとを、前方からのこの順番で一体形成している。
【００５９】
ハーネス側コネクタ１１の前側部分１１ａは、幅方向Ｙに長い正面視略長楕円形状であって、その先端近傍の外周に沿って凹設した凹溝に、インバーター側コネクタ２１の内部と当接するシールリング１１ｃを装着している。  
ハーネス側コネクタ１１の後側部分１１ｂは、前側部分１１ａよりも大きい略相似形の正面視略長楕円形状に形成している。
【００６０】
上述した構成のワイヤーハーネス１における被覆電線１２は、金属線を略筒状に編み込んだ編組線４で、その外周面が覆われている。  
さらに、２本の被覆電線１２及び編組線４は、後述するグロメット４０の分岐部４２に挿通する被覆電線１３とともに、合成樹脂製の略筒状体であるコルゲートチューブ５に一体的に挿通している。
【００６１】
このコルゲートチューブ５における前後方向Ｘに沿った断面形状は、図２及び図３に示すように、断面略台形状の凸部分５ａと凹部分５ｂとが、前後方向Ｘに沿って連続する断面凹凸形状の蛇腹状に形成している。
【００６２】
そして、ワイヤーハーネス１、編組線４、被覆電線１３、及びコルゲートチューブ５の前端を、後述するグロメット４０の内部に収容して、グロメット付ワイヤーハーネス１００を構成している（図４参照）。
【００６３】
一方、インバーター側コネクタ２１は、図２及び図３に示すように、インバーター２の取付け面２ａに所定の大きさで開口形成した開口孔（図示省略）に挿通固定されるコネクタハウジング２２と、コネクタハウジング２２の内部に配置された２つの接続端子２３などで構成している。
【００６４】
コネクタハウジング２２は、取付け面２ａよりも後方へ突出する本体部分（図示省略）と、取付け面２ａの開口孔に挿通するとともに、インバーター２の内部に突出する挿通部分（図示省略）とで一体形成している。
【００６５】
なお、コネクタハウジング２２の本体部分は、幅方向Ｙに長い背面視略長楕円状の閉断面形状を前後方向Ｘに延設するとともに、ハーネス側コネクタ１１の前側部分１１ａが嵌合可能な大きさの内面形状を有する略筒状体に形成している。
【００６６】
２つの接続端子２３は、コネクタハウジング２２における本体部分の内部において、幅方向Ｙに所定間隔を隔てて固定している。この接続端子２３は、コネクタハウジング２２の挿通部分において、図示を省略した被覆電線に接続している。
【００６７】
このインバーター側コネクタ２１が装着された取付け面２ａには、図２及び図３に示すように、インバーター側コネクタ２１の上方において、グロメット付取付部材３（後述するグロメット付取付部材３のコネクタシェル３０）を固定する固定ボルト２４が螺合するネジ孔２ｂを形成している。
【００６８】
上述した構成のワイヤーハーネス１と、インバーター側コネクタ２１との接続箇所を一体的に覆うグロメット付取付部材３は、図１から図４に示すように、インバーター側コネクタ２１に対して嵌合装着されるアルミ合金製のコネクタシェル３０と、コネクタシェル３０の後部に対して装着される弾性を有する合成樹脂製のグロメット４０と、コネクタシェル３０にグロメット４０を固定する合成樹脂製の結束バンド６とで構成している。
【００６９】
コネクタシェル３０は、図１から図４に示すように、前後方向Ｘに延びる筒状体であって、取付け面２ａに当接するシェル基部３１と、インバーター側コネクタ２１が嵌合するインバーター側胴部３２と、グロメット４０に嵌合するグロメット側胴部３３とを、前方からこの順番で一体形成して構成している。
【００７０】
さらに、コネクタシェル３０には、インバーター側胴部３２とグロメット側胴部３３との境界部分に第１フランジ部３４を形成し、グロメット側胴部３３に第２フランジ部３５、及び第３フランジ部３６を形成している。
【００７１】
コネクタシェル３０のシェル基部３１は、図３及び図４に示すように、前後方向Ｘに所定の厚みを有する正面視略矩形の基部本体３１１と、基部本体３１１の上端から上方に延設した正面視略三角形の締結固定部３１２とで一体形成している。
【００７２】
さらに、基部本体３１１の下端には、前方へ向けて突出するとともに、幅方向Ｙに延びる線状突部３１３を形成している。  
締結固定部３１２には、インバーター２のネジ孔２ｂに螺合する固定ボルト２４が挿通する貫通孔３１４を、前後方向Ｘに沿って開口形成している。
【００７３】
コネクタシェル３０のインバーター側胴部３２は、図３及び図４に示すように、幅方向Ｙに長い背面視略長楕円形状の閉断面形状を前後方向Ｘに延設した略筒状体に形成している。このインバーター側胴部３２の内面形状は、インバーター側コネクタ２１と略相似形の正面視略長楕円形状であって、インバーター側コネクタ２１が嵌合可能な大きさに形成している。
【００７４】
さらに、インバーター側胴部３２の下面には、図２及び図３に示すように、下方へ向けて立設するとともに、後方側が開口した底面視略コ字状の突起によって凹溝状に形成した先端装着部３２１を備えている。この先端装着部３２１は、コネクタシェル３０にグロメット４０を装着した状態において、後述するグロメット４０の延設部４４５が装着可能に形成している。
【００７５】
コネクタシェル３０のグロメット側胴部３３は、図３及び図４に示すように、インバーター側胴部３２と略同等の大きさで、幅方向Ｙに長い正面視略長楕円状の閉断面形状を、前後方向Ｘに延設した筒状体に形成している。
【００７６】
コネクタシェル３０の第１フランジ部３４は、図３及び図４に示すように、インバーター側胴部３２とグロメット側胴部３３との境界部分における外周面から外方に向けて突出した正面視略長楕円形状に形成している。なお、第１フランジ部３４は、正面視略長楕円形状の直線部分における突出長さ（インバーター側胴部３２の厚み方向における長さ）に対して、湾曲部分における突出長さ（インバーター側胴部３２の厚み方向における長さ）が長い形状に形成している（図７参照）。
【００７７】
コネクタシェル３０の第２フランジ部３５は、図３及び図４に示すように、前後方向Ｘにおいて、グロメット側胴部３３の略中央における外周面から外方に向けて突出した正面視略長楕円形状に形成している。
【００７８】
コネクタシェル３０の第３フランジ部３６は、図３及び図４に示すように、第２フランジ部３５と略同等の大きさで、グロメット側胴部３３の後端から外方に向けて突出した正面視略長楕円形状に形成している。
【００７９】
この第２フランジ部３５と第３フランジ部３６との間におけるコネクタシェル３０には、図３に示すように、外方から覆うように被された編組線４を装着固定する合成樹脂製の結束バンド７を巻着している。
【００８０】
なお、結束バンド７は、コネクタシェル３０の周方向に長い略帯状のバンド部７ａと、バンド部７ａの一端に設けるとともに、内部に挿通したバンド部７ａを係止するロック部７ｂとで一体形成している。  
この結束バンド７は、コネクタシェル３０における正面視略長楕円形状の湾曲部分に、ロック部７ｂが位置するように巻着している（図６参照）。
【００８１】
グロメット４０は、図１から図４に示すように、ワイヤーハーネス１が挿通する内部空間を有する略筒状体に形成している。  
より詳しくは、グロメット４０は、コルゲートチューブ５を介して被覆電線１２，１３を囲繞する電線囲繞部４１と、電線囲繞部４１の前端近傍から上方へ分岐するとともに、被覆電線１３が挿通する分岐部４２と、ハーネス側コネクタ１１、及び被覆電線１２の接続近傍を囲繞する蛇腹部４３と、コネクタシェル３０のグロメット側胴部３３を介して、ハーネス側コネクタ１１を囲繞するコネクタ囲繞部４４とで一体形成している。
【００８２】
グロメット４０の電線囲繞部４１は、図２及び図３に示すように、コルゲートチューブ５の外径よりも小径の内径を有する略円筒状に形成している。なお、電線囲繞部４１の後端における外面形状は、外径を後方へ向けて徐々に縮径するように傾斜して、薄肉化した傾斜部分４１ａを有する形状に形成している。
【００８３】
さらに、電線囲繞部４１の後端近傍における内周面には、内方へ向けて突設するとともに、周方向に沿って延設した第１環状突部４１１、第２環状突部４１２、及び第３環状突部４１３を形成している。
【００８４】
この第１環状突部４１１、第２環状突部４１２、及び第３環状突部４１３は、図５に示すように、前後方向Ｘに沿った断面が断面略台形状であって、コルゲートチューブ５の凹部分５ｂに対して弾性変形しながら凹凸嵌合する大きさで形成している。
【００８５】
第１環状突部４１１は、電線囲繞部４１の後端開口縁に沿って形成している。  
第２環状突部４１２は、第１環状突部４１１から前方に、コルゲートチューブ５の隣接する２つの凸部分５ａの外側寸法Ｗに対応する長さを隔てた位置に形成している。
【００８６】
第３環状突部４１３は、第２環状突部４１２よりも前方において、第２環状突部４１２が嵌合するコルゲートチューブ５の凹部分５ｂに隣接する凹部分５ｂに嵌合可能に形成している。
【００８７】
上述のように、環状突部（４１１，４１２，４１３）を配置したグロメット４０は、コルゲートチューブ５と嵌合した状態において、第１環状突部４１１と第２環状突部４１２との間に位置するコルゲートチューブ５の隣接する２つの凸部分５ａと、電線囲繞部４１とが凹凸嵌合しない範囲を設けている。
【００８８】
この電線囲繞部４１とコルゲートチューブ５とが凹凸嵌合しない範囲は、第１環状突部４１１、第２環状突部４１２、及び第３環状突部４１３のような突部を配置しておらず、第１環状突部４１１、第２環状突部４１２、及び第３環状突部４１３近傍における電線囲繞部４１よりも変形性が高い部分であって、これを高変形性部４１４とする。
【００８９】
一方、電線囲繞部４１の後端近傍における外周面には、図３及び図４に示すように、前後方向Ｘにおいて、第２環状突部４１２、及び第３環状突部４１３と略同等の位置に周方向に沿って凹設するとともに、合成樹脂製の結束バンド８が巻着される後方バンド装着部４１５を形成している。
【００９０】
なお、結束バンド８は、電線囲繞部４１の周方向に長い略帯状のバンド部８ａと、バンド部８ａの一端に設けるとともに、内部に挿通したバンド部８ａを係止するロック部８ｂとで一体形成している。
【００９１】
この後方バンド装着部４１５は、図５に示すように、第２環状突部４１２に対応する位置において、後方バンド装着部４１５の後方壁と結束バンド８の後端とが当接し、第３環状突部４１３に対応する位置において、後方バンド装着部４１５の前方壁と結束バンド８の前端とが当接する前後方向Ｘの長さを有する凹溝状に形成している。
【００９２】
すなわち、後方バンド装着部４１５における前後方向Ｘに沿った所定範囲に、第２環状突部４１２、及び第３環状突部４１３が位置するように、後方バンド装着部４１５を形成している。
【００９３】
詳述すると、後方バンド装着部４１５における前後方向Ｘの長さを装着部溝幅とし、結束バンド８のバンド部８ａにおける前後方向Ｘの長さをバンド幅とし、装着部溝幅からバンド幅を減算した前後方向Ｘの長さを隙間長さと定義する。
【００９４】
この際、後方バンド装着部４１５の装着部溝幅を、バンド幅の２倍未満として、後方バンド装着部４１５における前後方向Ｘの前端、及び後端からそれぞれ前後方向Ｘに隙間長さだけ離間した後方バンド装着部４１５の範囲を、後方バンド装着部４１５における前後方向Ｘに沿った所定範囲とする。
【００９５】
そして、第２環状突部４１２、及び第３環状突部４１３に対して、後方バンド装着部４１５における前後方向Ｘに沿った所定範囲が対向するように、バンド幅の２倍未満の装着部溝幅を有する後方バンド装着部４１５を電線囲繞部４１の外周面に形成している。
【００９６】
換言すると、図５及び下記「数１」に示すように、結束バンド８における前後方向Ｘの長さ（以下、「バンド幅Ｗ１」とする）が、第２環状突部４１２及び第３環状突部４１３における前後方向Ｘの間隔（以下、「突部間隔Ｗ２」とする）以上となるように結束バンド８が形成されている。
【００９７】
そして、下記「数２」に示すように、後方バンド装着部４１５における前後方向Ｘの長さ（以下、「装着部溝幅Ｗ３」とする）が突部間隔Ｗ２よりも長く、かつバンド幅Ｗ１に「２」を乗算した値から突部間隔Ｗ２を減算した長さよりも短くなるように、後方バンド装着部４１５を形成している。
【００９８】
【数１】
0006479524.tif 000002
【００９９】
【数２】
0006479524.tif 000003
グロメット４０の分岐部４２は、図３及び図４に示すように、前方斜め上方へ向けて延設した略円筒状であって、電線囲繞部４１の内部空間と連通するように形成している。なお、分岐部４２の先端部は、電線囲繞部４１の後端部と同様の構成のため、電線囲繞部４１と同じ符号を付して、その詳細な説明を省略する。
【０１００】
グロメット４０の蛇腹部４３は、図３及び図４に示すように、正面視略円状の閉断面形状が、幅方向Ｙに長い正面視略長楕円状の閉断面形状となるように、電線囲繞部４１の前端から前方へ向けて、その内外径を拡径するように延設している。
【０１０１】
グロメット４０のコネクタ囲繞部４４は、図３及び図４に示すように、幅方向Ｙに長い背面視略長楕円状の閉断面形状を前後方向Ｘに延設した略筒状体に形成している。より詳しくは、コネクタシェル３０に装着した状態において、コネクタ囲繞部４４は、コネクタシェル３０の第１フランジ部３４に、コネクタ囲繞部４４の前端部が近接対向する前後方向Ｘの長さで、蛇腹部４３から前方へ向けて延設している。
【０１０２】
このコネクタ囲繞部４４の外面形状は、上下方向Ｚの長さが第１フランジ部３４における上下方向Ｚの長さよりも長く、かつ幅方向Ｙにおける長さが第１フランジ部３４における幅方向Ｙの長さよりも短い正面視略長楕円形状に形成している。
【０１０３】
一方、コネクタ囲繞部４４の内面形状は、コネクタシェル３０におけるグロメット側胴部３３の外面形状よりも小さい略相似形の正面視略長楕円形状であって、グロメット側胴部３３が嵌合可能な大きさに形成している。  
さらに、コネクタ囲繞部４４には、図２に示すように、正面視略長楕円形状における一方の湾曲部分の頂部に、幅方向Ｙの外側へ向けて膨出した膨出部４４１を形成している。
【０１０４】
膨出部４４１は、図６に示すように、コネクタシェル３０が嵌合した状態において、グロメット側胴部３３における第２フランジ部３５と第３フランジ部３６との間に対応する部分に形成している。この膨出部４４１は、結束バンド７のロック部７ｂを収容可能な内部空間を有する形状に形成している。
【０１０５】
加えて、コネクタ囲繞部４４の前端部における外周面には、図１及び図３に示すように、コネクタシェル３０にグロメット４０を固定する結束バンド６が巻着される前方バンド装着部４４２を形成している。
【０１０６】
なお、結束バンド６は、コネクタ囲繞部４４に巻着される略帯状のバンド部６ａと、バンド部６ａの一端に設けるとともに、内部に挿通したバンド部６ａを係止するロック部６ｂとで一体形成している。  
この結束バンド６は、後述する前方バンド装着部４４２の切欠き部４４４（図７参照）と前後方向Ｘで対向する位置に、ロック部６ｂが位置するようにコネクタ囲繞部４４に巻着されている。
【０１０７】
前方バンド装着部４４２は、図３に示すように、コネクタシェル３０が嵌合した状態において、第１フランジ部３４と第２フランジ部３５との間におけるグロメット側胴部３３に対応する外周面に形成している。
【０１０８】
より詳しくは、前方バンド装着部４４２は、図８に示すように、コネクタ囲繞部４４の周方向に沿って凹設するとともに、結束バンド６におけるバンド部６ａの肉厚よりも低い高さの前方側壁部分４４２ａ、及び後方側壁部分４４２ｂを、それぞれ前方側、及び後方側に有する凹溝状に形成している。
【０１０９】
この前方バンド装着部４４２に対応するコネクタ囲繞部４４の内周面には、内方へ向けて突設するとともに、周方向に沿って延設したリップ部４４３を、前後方向Ｘに沿って並置するように２つ形成している。
【０１１０】
この２つのリップ部４４３は、前後方向Ｘの断面において、前方バンド装着部４４２の前方側壁部分４４２ａ、及び結束バンド６におけるバンド部６ａの前端が当接する状態と、前方バンド装着部４４２の後方側壁部分４４２ｂ、及び結束バンド６におけるバンド部６ａの前端が当接する状態とにおいて、バンド部６ａが重合する範囲に形成している。
【０１１１】
すなわち、前方バンド装着部４４２における前後方向Ｘに沿った所定範囲に、２つのリップ部４４３が位置するように、前方バンド装着部４４２を形成している。  
詳述すると、前方バンド装着部４４２における前後方向Ｘの長さを装着部溝幅とし、結束バンド６のバンド部６ａにおける前後方向Ｘの長さをバンド幅とし、装着部溝幅からバンド幅を減算した前後方向Ｘの長さを隙間長さと定義する。
【０１１２】
この際、前方バンド装着部４４２の装着部溝幅を、バンド幅の２倍未満として、前方側壁部分４４２ａ、及び後方側壁部分４４２ｂからそれぞれ隙間長さだけ前後方向Ｘに離間した前方バンド装着部４４２の範囲を、前方バンド装着部４４２における前後方向Ｘに沿った所定範囲とする。
【０１１３】
そして、２つのリップ部４４３に対して前方バンド装着部４４２における前後方向Ｘに沿った所定範囲が対向するように、バンド幅の２倍未満の装着部溝幅を有する前方バンド装着部４４２をコネクタ囲繞部４４の外周面に形成している。
【０１１４】
換言すると、図８及び下記「数３」に示すように、結束バンド６における前後方向Ｘの長さ（以下「バンド幅Ｗ１１」とする）が、２つのリップ部４４３における前後方向Ｘの間隔（以下、「リップ部間隔Ｗ１２」とする）以上となるように結束バンド６が形成されている。
【０１１５】
そして、下記「数４」に示すように、前方バンド装着部４４２における前後方向Ｘの長さ（以下、「装着部溝幅Ｗ１３」とする）がリップ部間隔Ｗ１２よりも長く、かつバンド幅Ｗ１１に「２」を乗算した値からリップ部間隔Ｗ１２を減算した長さよりも短くなるように、前方バンド装着部４４２を形成している。
【０１１６】
【数３】
0006479524.tif 000004
【０１１７】
【数４】
0006479524.tif 000005
この前方バンド装着部４４２の前方側壁部分４４２ａには、図４、図６、及び図７に示すように、正面視において、膨出部４４１に対して幅方向Ｙで対向する湾曲部分の頂部を、前後方向Ｘに沿って切欠いた切欠き部４４４を形成している。
【０１１８】
切欠き部４４４は、正面視において、結束バンド６のロック部６ｂと対向する範囲を、図９に示すように、側面視において、後方側が幅広で、前方側が幅狭の側面視略台形状に切り欠いて形成している。
【０１１９】
より詳しくは、切欠き部４４４は、上下方向Ｚにおける前方側の切欠き長さ、及び後方側の切欠き長さが、ロック部６ｂにおける上下方向Ｚの長さよりも長い側面視略台形状に切り欠いている。  
なお、切欠き部４４４は、コネクタシェル３０にグロメット４０を装着した状態において、第１フランジ部３４の外周縁よりも内側の部分と対向するように形成している。
【０１２０】
加えて、コネクタ囲繞部４４の前端下部には、図２及び図３に示すように、正面視略長楕円形状における直線部分から前方へ向けて延設した平面視略矩形の延設部４４５を備えている。この延設部４４５は、コネクタシェル３０にグロメット４０を装着した状態において、コネクタシェル３０の先端装着部３２１に装着可能に形成している。
【０１２１】
引き続き、上述した構成のグロメット付取付部材３の組付け方法について簡単に説明する。まず、コネクタシェル３０のグロメット側胴部３３を、編組線４に挿通したのち、結束バンド７をグロメット側胴部３３に巻着して、グロメット側胴部３３に編組線４を組付ける。
【０１２２】
その後、予めグロメット４０に挿通したワイヤーハーネス１をコネクタシェル３０に嵌合したのち、コネクタシェル３０をグロメット４０に嵌合する。その後、後方バンド装着部４１５、及び前方バンド装着部４４２にそれぞれ結束バンド８、及び結束バンド６を巻着して、ワイヤーハーネス１が挿通されたグロメット付取付部材３を構成する。
【０１２３】
以上のような構成を実現するグロメット４０は、コネクタシェル３０との間における止水性と、コネクタシェル３０に対する分解組付け性とを両立して確保することができる。
【０１２４】
具体的には、前方バンド装着部４４２における前方側壁部分４４２ａを切り欠いたことにより、切欠き部４４４は、前端部の剛性を部分的に低下させることができる。  
このため、切欠き部４４４は、コネクタ囲繞部４４の内径を拡径し易くし、コネクタシェル３０への装着を容易にすることができる。
【０１２５】
さらに、例えば、結束バンド６の巻着が容易となる位置に切欠き部４４４を形成することで、切欠き部４４４は、結束バンド６を前方バンド装着部４４２に巻着する際の位置決め手段として機能することができる。
【０１２６】
あるいは、切欠き部４４４を設けた前方バンド装着部４４２の位置を、結束バンド６のバンド６ａを固定するロック部６ｂの位置とすることで、切欠き部４４４は、前後方向Ｘにおけるロック部６ｂの長さが異なる結束バンド６の巻着を容易にすることができる。
【０１２７】
一方、グロメット４０に巻着した結束バンド６を取り外す場合には、切欠き部４４４は、結束バンド６を切断する所定の工具を結束バンド６に差し込む差込口として機能することができる。
【０１２８】
詳しくは、コネクタシェル３０を介して取付け面２ａに装着した状態において、取付け面２ａから前後方向Ｘに離間した位置に配置されるため、切欠き部４４４は、前後方向Ｘからの所定の工具の挿入を容易にすることができる。
【０１２９】
この際、例えば、切欠き部４４４とロック部６ｂとが対向するように、結束バンド６を巻着することで、切欠き部４４４は、バンドの重なりによるロック部６ｂ近傍と前方バンド装着部４４２との隙間に対する所定の工具の挿入をより容易にすることができる。これにより、結束バンド６を所定の工具で切断する際、グロメット４０が、所定の工具によって損傷することを防止できる。
【０１３０】
そして、結束バンド６が前方バンド装着部４４２に巻着された状態において、前方バンド装着部４４２に対応するコネクタ囲繞部４４の内周面は、コネクタシェル３０の先端近傍に隙間なく当接することができる。
【０１３１】
この際、コネクタシェル３０の第１フランジ部３４が近接する前端部に前方バンド装着部４４２を形成しているため、前方バンド装着部４４２は、例えば、高圧洗浄水による前端部のめくり上がりを、結束バンド６との協働によって抑制することができる。
【０１３２】
さらに、結束バンド６及びコネクタシェル３０の第１フランジ部３４との協働により、前方バンド装着部４４２は、コネクタ囲繞部４４の内部への高圧洗浄水の侵入を抑制することができる。
【０１３３】
従って、グロメット４０は、前端部に形成した前方バンド装着部４４２と、前方バンド装着部４４２の前方側壁部分４４２ａに形成した切欠き部４４４とによって、コネクタシェル３０との間における止水性と、コネクタシェル３０に対する分解組付け性とを両立して確保することができる。
【０１３４】
また、コネクタ囲繞部４４における略長楕円形状の湾曲部分に、切欠き部４４４を形成したことにより、グロメット４０は、コネクタシェル３０との間における止水性を低下させることなく、コネクタシェル３０に対する分解組付け性の向上を図ることができる。
【０１３５】
具体的には、略長楕円形状のコネクタ囲繞部４４における湾曲部に切欠き部４４４を形成したことにより、グロメット４０は、略長楕円形状の直線部分に切欠き部４４４を形成した場合に比べて、切欠き部４４４の位置の特定を容易にすることができる。
【０１３６】
これにより、結束バンド６を巻着する際、グロメット４０は、前方バンド装着部４４２との間に隙間が生じ易いロック部６ｂを、略長楕円形状の湾曲部分に容易に配置させることができる。この際、結束バンド６は、前方バンド装着部４４２に沿った略長楕円形状ではなく、たまご型に巻着され易い。
【０１３７】
このため、結束バンド６は、コネクタ囲繞部４４における略長楕円形状の湾曲部分を締め付ける荷重が高いのに対して、直線部分を締め付ける荷重が低いという特徴がある。
【０１３８】
ゆえに、結束バンド６がグロメット４０に巻着された状態において、前方バンド装着部４４２がコネクタシェル３０を押圧する押圧荷重は、略長楕円形状の直線部分における押圧荷重に対して、湾曲部分における押圧荷重の方が高くなり易い。
【０１３９】
そこで、略長楕円形状のコネクタ囲繞部４４における湾曲部に切欠き部４４４を形成したことにより、グロメット４０は、剛性が低くなり易い切欠き部４４４近傍における前端部のめくり上がりを、結束バンド６との協働によって確実に抑制することができる。
【０１４０】
これにより、グロメット４０は、例えば、高圧洗浄水が吹き付けられた場合であっても、コネクタ囲繞部４４の内部への水分の侵入をより確実に抑制することができる。  
従って、グロメット４０は、略長楕円形状のコネクタ囲繞部４４における湾曲部分に切欠き部４４４を形成したことにより、コネクタシェル３０との間における止水性を低下させることなく、コネクタシェル３０に対する分解組付け性の向上を図ることができる。
【０１４１】
また、コネクタシェル３０の第１フランジ部３４における外周縁よりも内側の部分と対向する位置に、換言すると、幅方向Ｙにおける第１フランジ部３４の縁端に対して、切欠き部４４４が幅方向Ｙの内側に位置するため、例えば、グロメット４０に対して高圧洗浄水が吹き付けられた際、コネクタシェル３０の第１フランジ部３４によって高圧洗浄水がコネクタ囲繞部４４の内部により到達し難くなる。これにより、グロメット４０は、剛性が低くなり易い切欠き部４４４近傍に対して高圧洗浄水が直接的に吹き付けられることを防止できる。
【０１４２】
また、コネクタシェル３０に形成した先端装着部３２１に装着される延設部４４５を備えたことにより、グロメット４０は、コネクタシェル３０に対する分解組付け性をより向上することができる。
【０１４３】
具体的には、コネクタシェル３０に対してグロメット４０を装着する際、あるいはコネクタシェル３０からグロメット４０を取り外す際、延設部４４５は、作業者が保持する持ち手として機能することができる。
【０１４４】
例えば、略長楕円形状のコネクタ囲繞部４４を拡径する場合、略長楕円形状の湾曲部分に対して、直線部分の方が拡径し易い。このため、略長楕円形状のコネクタ囲繞部４４の直線部分に延設部４４５を形成した場合、延設部４４５は、略長楕円形状のコネクタ囲繞部４４を容易に拡径することができる。
【０１４５】
さらに、コネクタシェル３０の先端装着部３２１に装着されるため、延設部４４５は、コネクタシェル３０に対するグロメット４０の位置決め手段として機能することができる。  
しかしながら、後方側のねもと部分である延設部４４５の基部近傍は、その周辺に比べて剛性が高くなり易いため、前方バンド装着部４４２がコネクタシェル３０を押圧する押圧荷重を低下させるおそれがある。
【０１４６】
このため、例えば、略長楕円形状のコネクタ囲繞部４４における湾曲部分に切欠き部４４４と延設部４４５とを形成した場合、切欠き部４４４近傍における止水性が低下するおそれがある。そこで、略長楕円形状の直線部分に延設部４４５を形成することで、グロメット４０は、結束バンド６との協働によって前方バンド装着部４４２がコネクタシェル３０を確実に押圧することができる。
【０１４７】
従って、グロメット４０は、延設部４４５を備えたことにより、コネクタシェル３０に対する分解組付け性をより向上することができる。
【０１４８】
また、前方バンド装着部４４２に対応するコネクタ囲繞部４４の内周面に、２つのリップ部４４３を備えたことにより、グロメット４０は、コネクタシェル３０との間における止水性をより安定して確保することができる。
【０１４９】
具体的には、コネクタシェル３０との接触面積が小さため、リップ部４４３は、コネクタ囲繞部４４の内周面でコネクタシェル３０を押圧した場合の押圧荷重に比べて、より高い押圧荷重でコネクタシェル３０を押圧することができる。
【０１５０】
さらに、リップ部４４３を少なくとも２つ備えているため、グロメット４０は、結束バンド６の巻着位置が前後方向Ｘにバラついた場合であっても、コネクタシェル３０に対してリップ部４４３を当接させることができる。  
従って、グロメット４０は、２つのリップ部４４３を備えたことにより、コネクタシェル３０との間における止水性をより安定して確保することができる。
【０１５１】
また、前方バンド装着部４４２における前後方向Ｘの長さを、装着部溝幅とし、結束バンド６における前後方向Ｘの長さをバンド幅とし、装着部溝幅からバンド幅を減算した長さを隙間長さとして、前方バンド装着部４４２を、装着部溝幅がバンド幅の２倍未満となるように構成し、前方バンド装着部４４２における前方側壁部分４４２ａ、及び後方側壁部分４４２ｂから、前後方向Ｘにそれぞれ隙間長さだけ離間した前方バンド装着部４４２の範囲に対応する内周面に、リップ部４４３を形成したことにより、前方バンド装着部４４２における前方側壁部分４４２ａに結束バンド６が当接した状態、あるいは後方側壁部分４４２ｂに結束バンド６が当接した状態であっても、結束バンド６でリップ部４４３を押圧することができる。
【０１５２】
このため、前方バンド装着部４４２に対する結束バンド６の巻着位置が前方あるいは後方に偏った場合であっても、グロメット４０は、コネクタシェル３０に対して少なくとも２つのリップ部４４３をより確実に当接させることができる。  
従って、グロメット４０は、コネクタシェル３０との間における止水性をより確実に確保することができる。
【０１５３】
また、結束バンド７のロック部７ｂを収容可能な内部空間を有する膨出部４４１を、正面視において、切欠き部４４４と対向する位置に形成したことにより、グロメット４０は、コネクタシェル３０に取付けた状態における重量の偏りを抑制することができる。さらに、正面視において、切欠き部４４４と膨出部４４１とが幅方向Ｙで対向しているため、膨出部４４１は、前方バンド装着部４４２に対する結束バンド６の容易な巻着を阻害することを防止できる。
【０１５４】
また、上述したグロメット４０と、取付け面２ａに取付けられる本体部、グロメット４０のコネクタ囲繞部４４に近接対向する第１フランジ部３４、及びコネクタ囲繞部４４に嵌合するグロメット側胴部３３をこの順番で配置した略筒状のコネクタシェル３０と、グロメット４０の前方バンド装着部４４２に巻着する結束バンド６とで構成したことにより、グロメット付取付部材３は、グロメット４０とコネクタシェル３０との間における止水性と、コネクタシェル３０に対するグロメット４０の分解組付け性とを両立して確保することできる。
【０１５５】
また、上下方向Ｚにおける前方側の切欠き長さ、及び後方側の切欠き長さが、ロック部６ｂにおける上下方向Ｚの長さよりも長い側面視略台形状に切欠き部４４４を形成したことにより、グロメット４０は、切欠き部４４４に対向するようにロック部６ｂを配置した場合であっても、バンド部６ａに対して所定の工具が挿入可能な隙間を確実に確保することができる。
【０１５６】
なお、上述の実施形態において、２本の被覆電線１２とハーネス側コネクタ１１とでワイヤーハーネス１を構成したが、これに限定せず、例えば３本の被覆電線とハーネス側コネクタとで構成したワイヤーハーネスであってもよい。あるいは、１本の被覆電線とハーネス側コネクタとで構成したワイヤーハーネスであってもよい。
【０１５７】
また、インバーター２に接続するワイヤーハーネス１と構成としたが、これに限定せず、電気的に接続可能であれば、バッテリー、電気モーターやキャパシタなどに接続するワイヤーハーネス１としてもよい。
【０１５８】
また、インバーター側コネクタ２１に装着するコネクタシェル３０としたが、これに限定せず、インバーター側コネクタ２１とコネクタシェル３０とを一体形成した取付部材を構成してもよい。この際、取付け面２ａに予め装着した取付部材に対してグロメット４０を装着するようにしてもよい。
【０１５９】
また、正面視略長楕円形状のコネクタ囲繞部４４としたが、これに限定せず、略円筒状のコネクタ囲繞部としてもよい。この場合、正面視略円形状のハーネス側コネクタとするとともに、略円筒状のコネクタシェルとする。  
また、合成樹脂製の結束バンド６，７，８としたが、これに限定せず、金属製の結束バンドであってもよい。
【０１６０】
また、結束バンド６におけるバンド部６ａの肉厚よりも低い高さの前方側壁部分４４２ａ、及び後方側壁部分４４２ｂを有する前方バンド装着部４４２としたが、これに限定せず、結束バンド６におけるバンド部６ａの肉厚よりも高い高さの前方側壁部分４４２ａ、及び後方側壁部分４４２ｂを有する前方バンド装着部４４２としてもよい。
【０１６１】
この発明の構成と、上述の実施形態との対応において、
この発明の所定の取付け面は、実施形態の取付け面２ａに対応し、
以下同様に、
取付部材は、コネクタシェル３０に対応し、
取付部材の先端近傍、及び嵌合部は、コネクタシェル３０のグロメット側胴部３３に対応し、
コネクタは、ハーネス側コネクタ１１に対応し、
軸方向は、前後方向Ｘに対応し、
フランジ部は、第１フランジ部３４に対応し、
取付部材側端部は、コネクタ囲繞部４４の前端部に対応し、
バンド装着部は、前方バンド装着部４４２に対応し、
取付部材側壁部は、前方側壁部分４４２ａに対応し、
電線側壁部は、後方側壁部分４４２ｂに対応し、
凹溝部は、先端装着部３２１に対応し、
取付部材に巻着される結束バンドは、結束バンド７に対応し、
直交方向は、幅方向Ｙに対応し、
本体部は、シェル基部３１に対応するが、
この発明は、上述の実施形態の構成のみに限定されるものではなく、多くの実施の形態を得ることができる。
【符号の説明】
【０１６２】
１…ワイヤーハーネス
２ａ…取付け面
３…グロメット付取付部材
６…結束バンド
７…結束バンド
７ｂ…ロック部
１１…ハーネス側コネクタ
１２…被覆電線
２３…接続端子
３０…コネクタシェル
３１…シェル基部
３３…グロメット側胴部
３４…第１フランジ部
４０…グロメット
４１…電線囲繞部
４４…コネクタ囲繞部
３２１…先端装着部
４４１…膨出部
４４２…前方バンド装着部
４４２ａ…前方側壁部分
４４２ｂ…後方側壁部分
４４３…リップ部
４４４…切欠き部
４４５…延設部
Ｗ１１…バンド幅
Ｗ１３…装着部溝幅
Ｘ…前後方向
Ｙ…幅方向
【図１】
0006479524.tif 000006
【図２】
0006479524.tif 000007
【図３】
0006479524.tif 000008
【図４】
0006479524.tif 000009
【図５】
0006479524.tif 000010
【図６】
0006479524.tif 000011
【図７】
0006479524.tif 000012
【図８】
0006479524.tif 000013
【図９】
0006479524.tif 000014